(57)【要約】  モータ、室外ユニット制御部、接続されている商用電源の仕様が異なっていても、制御回路部を共通化可能な空気調和機を得ることを目的とし、空気調和機が有するモータ、室外ユニット制御部、接続されている商用電源の設定情報によって基準電圧値を決定し、インバータ回路駆動用マイコンから出力する基準電圧値を安定化させ、安定化させた基準電圧値を母線電流から変換された電圧と比較し、基準電圧値を可変とする空気調和機とする。
2016170633.tif 000002
【特許請求の範囲】
【請求項１】
交流電源からの交流電圧を直流電圧に変換して出力する整流回路と、
前記整流回路から出力された直流電圧を、力率改善回路を介して平滑する平滑回路と、
前記平滑回路にて平滑された直流電圧を交流電圧に変換して圧縮機に出力するインバータ回路と、
前記インバータ回路を駆動するインバータ駆動回路と、
前記インバータ駆動回路を制御するインバータ回路駆動用マイコンと、
前記圧縮機によって圧縮される冷媒の冷媒回路を制御する制御メインマイコンと、
前記インバータ回路の母線電流の検出値を電圧レベルに変換して出力する電流電圧変換回路と、
前記電流電圧変換回路から出力された電圧レベルと基準電圧値とを比較する電圧比較回路と、
機種の設定情報を前記制御メインマイコンに出力する機種切替部とを備え、
前記制御メインマイコンは、前記機種切替部から得た機種の設定情報により前記電圧比較回路への前記基準電圧値を算出して前記インバータ回路駆動用マイコンに通信し、
前記インバータ回路駆動用マイコンは、前記制御メインマイコンから得た前記基準電圧値によって前記基準電圧値の電圧を生成することを特徴とする空気調和機。
【請求項２】
前記電圧比較回路の比較結果から前記電圧レベルが前記基準電圧値を超えている場合には前記インバータ回路を停止することで前記圧縮機の運転を停止する停止回路を備えることを特徴とする請求項１に記載の空気調和機。
【請求項３】
前記電圧比較回路の前記基準電圧値が許容電圧範囲内でない場合には電圧を調整して指令電圧を出力することを特徴とする請求項１に記載の空気調和機。
【請求項４】
前記基準電圧値が前記制御メインマイコンから得られた基準電圧値と一致しない場合には異常と判断されて、前記圧縮機が停止することを特徴とする請求項１に記載の空気調和機。
【発明の詳細な説明】
【技術分野】
【０００１】
本発明は、空気調和機の室外機である室外ユニットにおけるモータに代表される負荷装置に対する過電流保護が可能な空気調和機に関する。
【背景技術】
【０００２】
従来技術の一例である特許文献１には、「インバータ回路の過電流保護、過電圧保護、過電力保護を行う」ことを課題とし、「直流電源１１に接続されて入力電圧Ｖｃｃが印加され、モータ１３に電力を供給するインバータ回路１２と、このインバータ回路１２に流れる入力電流Ｉｉｎを、この入力電流Ｉｉｎに相当する電圧Ｖｉｎ２に変換して検出する入力電流検出回路２１と、インバータ回路１２を制御する電流電圧制御部２０を備え」て、「電流電圧制御部２０は、入力電圧Ｖｃｃが印加されたときのインバータ回路１２に流れる電流の制限値に相当する基準電圧Ｖｒｅｆを生成し、基準電圧Ｖｒｅｆと電圧Ｖｉｎ２とを比較することにより、入力電圧Ｖｃｃに応じた所望の入力電流制限値Ｉｍａｘ以内で動作するようにインバータ回路１２を制御する」電力制御装置が開示されている。
【先行技術文献】
【特許文献】
【０００３】
【特許文献１】特開２０１３−６６２７２号公報
【発明の概要】
【発明が解決しようとする課題】
【０００４】
しかしながら、上記従来の技術によれば、負荷であるモータを過電流から保護するための過電流保護回路は入力電圧に応じて過電流保護値を可変とする機能を有するに留まり、同一の電力制御装置を用いて過電流保護値の異なるモータを駆動する場合においては、モータの種類ごとに過電流保護値の仕様を切り替える必要がある。また、モータの種類のみならず、室外ユニット制御部又は接続されている商用電源の仕様が異なる場合にも、仕様を切り替えねばならない。そのため、制御回路部を共通化できない、という問題があった。【０００５】
本発明は、上記に鑑みてなされたものであって、モータ、室外ユニット制御部又は接続されている商用電源の仕様が異なっていても、過電流保護を実現しつつ制御回路部を共通化可能な空気調和機を得ることを目的とする。
【課題を解決するための手段】
【０００６】
上述した課題を解決し、目的を達成するために、本発明に係る空気調和機は、交流電源からの交流電圧を直流電圧に変換して出力する整流回路と、前記整流回路から出力された直流電圧を力率改善回路を介して平滑する平滑回路と、前記平滑回路にて平滑された直流電圧を交流電圧に変換して圧縮機に出力するインバータ回路と、前記インバータ回路を駆動するインバータ駆動回路と、前記インバータ駆動回路を制御するインバータ回路駆動用マイコンと、前記圧縮機によって圧縮される冷媒回路を制御する制御メインマイコンと、前記インバータ回路の母線電流を電圧レベルに変換して出力する電流電圧変換回路と、前記電流電圧変換回路から得られた電圧レベルと、基準電圧値とを比較する電圧比較回路と、前記電圧比較回路の比較結果から前記電圧レベルが前記基準電圧値を超えている場合には前記インバータ回路を停止することで前記圧縮機の運転を停止する停止回路と、設定情報を前記制御メインマイコンに出力する機種切替部とを備え、前記制御メインマイコンは、前記機種切替部から取得した設定情報により前記電圧比較回路への前記基準電圧値を算出して前記インバータ回路駆動用マイコンに通信し、前記インバータ回路駆動用マイコンは、前記制御メインマイコンから得られた前記基準電圧値によって前記基準電圧値の電圧を生成することを特徴とする。
【発明の効果】
【０００７】
本発明に係る空気調和機は、モータ、室外ユニット制御部、接続されている商用電源の仕様が異なっていても、過電流保護を実現しつつ制御回路部を共通化可能であるという効果を奏する。
【図面の簡単な説明】
【０００８】
【図１】実施の形態１に係る空気調和機の全体構成を示す図
【図２】実施の形態１における室外ユニット及び室外ユニット制御部の構成を示す図
【図３】実施の形態１における室内ユニット及び室内ユニット制御部の構成を示す図
【図４】実施の形態１における制御メインマイコンに格納されているデータの一例を示す図
【図５】実施の形態１に係る空気調和機の動作を示すフローチャート
【図６】実施の形態２に係る空気調和機の動作を示すフローチャート
【図７】実施の形態３に係る空気調和機の動作を示すフローチャート
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態１．
図１は、本発明の実施の形態１に係る空気調和機の全体構成を示す図である。図１には、室外ユニット１、室内ユニット２及びリモコン５が示されている。室外ユニット１と室内ユニット２は、冷媒用配管３及び室内室外接続用配線４によって接続され、室内ユニット２とリモコン５は、リモコン用配線６によって接続されている。
【００１１】
リモコン５では、ユーザによって、冷房又は暖房をはじめとする運転モード及び空調設定温度の選択が行われ、リモコン５は、選択された運転モード及び空調設定温度に従って運転指令を出力する。また、リモコン５は、表示部５ａを備え、表示部５ａには、空気調和機の運転状態、室内吸い込み温度及び空調設定温度が表示される。なお、リモコン５はワイヤレスリモコンであってもよい。
【００１２】
また、室外ユニット１に含まれる、圧縮機１１、室外熱交換器１２及び電子膨張弁１３と、室内ユニット２に含まれる室内熱交換器２１とを、冷媒用配管３を介して環状に接続することで空気調和機の冷媒回路が構成されている。冷媒用配管３内の冷媒は、圧縮機１１によって圧縮される。室外熱交換器１２には室外ファン１４によって外気が送り込まれ、室内熱交換器２１には室内ファン２２によって室内の空気が送り込まれる。
【００１３】
室外ユニット１には室外ユニット制御部１０が設けられており、室外ユニット制御部１０には、圧縮機１１、室外ファンモータ１５、高圧圧力スイッチ１６、低圧圧力スイッチ１７、圧縮機シェル温度サーミスタ１８及び冷媒温度サーミスタ１９が接続されている。室内ユニット２には室内ユニット制御部２０が設けられており、室内ユニット制御部２０には、室内ファンモータ２３、室内温度サーミスタ２４及び冷室内配管温度サーミスタ２５が接続されている。また、室外ユニット制御部１０には、三相交流電源である商用電源７が接続されているが、商用電源７は単相であってもよい。
【００１４】
図２は、室外ユニット１及び室外ユニット制御部１０の構成を示す図である。商用電源７は、整流回路１０１に接続され、整流回路１０１の後段には平滑コンデンサ１０２が設けられている。整流回路１０１と平滑コンデンサ１０２の間のＰ母線側には、これらに直列接続された力率改善用のリアクタ１０３及び突入電流抑制回路１０４が設けられている。すなわち、力率改善回路が設けられている。突入電流抑制回路１０４は、突入電流抑制用リレー１０４ａ及び突入電流防止素子１０４ｂを備え、リアクタ１０３の前段に設けられている。突入電流抑制用リレー１０４ａと突入電流防止素子１０４ｂは並列に接続されている。商用電源７からの交流電圧は整流回路１０１によって直流電圧に変換され、この直流電圧は、リアクタ１０３及び突入電流抑制回路１０４を介して平滑コンデンサ１０２によって母線電圧に平滑される。突入電流抑制用リレー１０４ａは５２Ｃリレーとも呼ばれる。
【００１５】
平滑コンデンサ１０２の後段にはインバータ回路１０５が設けられており、インバータ回路１０５にはトランジスタ１０５ａ，１０５ｂ，１０５ｃ，１０５ｄ，１０５ｅ，１０５ｆが設けられている。トランジスタ１０５ａのベースにはＵｐと表記された駆動用回路１０５ｇが接続され、トランジスタ１０５ｂのベースにはＶｐと表記された駆動用回路１０５ｈが接続され、トランジスタ１０５ｃのベースにはＷｐと表記された駆動用回路１０５ｉが接続され、トランジスタ１０５ｄのベースにはＵｎと表記された駆動用回路１０５ｊが接続され、トランジスタ１０５ｅのベースにはＶｎと表記された駆動用回路１０５ｋが接続され、トランジスタ１０５ｆのベースにはＷｎと表記された駆動用回路１０５ｌが接続されている。駆動用回路１０５ｇ，１０５ｈ，１０５ｉ，１０５ｊ，１０５ｋ，１０５ｌは、各々トランジスタ１０５ａ，１０５ｂ，１０５ｃ，１０５ｄ，１０５ｅ，１０５ｆのオンオフ制御を行う。インバータ回路１０５は、平滑コンデンサ１０２が平滑した直流電圧である母線電圧を交流電圧に変換して出力し、この交流電圧は圧縮機１１に出力され、圧縮機１１はこの交流電圧の周波数に従って運転する。また、インバータ回路１０５には停止回路１０５ｍが含まれ、停止回路１０５ｍは、駆動用回路１０５ｊ，１０５ｋ，１０５ｌを停止させることで圧縮機１１を停止させることが可能な構成である。駆動用回路１０５ｇ，１０５ｈ，１０５ｉ，１０５ｊ，１０５ｋ，１０５ｌは、インバータ回路駆動用マイコン１１０に接続され、インバータ回路駆動用マイコン１１０によってオンオフ制御される。
【００１６】
また、室外ユニット１には、室外ユニット１の制御全般を司る制御メインマイコン１２０が設けられており、制御メインマイコン１２０は、通信回路１４０を介して、インバータ回路駆動用マイコン１１０と情報の送受信を行う。このような構成の動作の一例として、制御メインマイコン１２０が、算出した圧縮機１１の動作に要する運転周波数をインバータ回路駆動用マイコン１１０に送信し、インバータ回路駆動用マイコン１１０は、制御メインマイコン１２０から送信された圧縮機１１の運転周波数に応じた動作指令を駆動用回路１０５ｇ，１０５ｈ，１０５ｉ，１０５ｊ，１０５ｋ，１０５ｌに通信し、駆動用回路１０５ｇ，１０５ｈ，１０５ｉ，１０５ｊ，１０５ｋ，１０５ｌによるインバータ回路１０５内のオンオフ制御によって圧縮機１１が駆動される。
【００１７】
平滑コンデンサ１０２とインバータ回路１０５の間のＮ母線側には電流電圧変換回路１１２が設けられており、電流電圧変換回路１１２には過電流比較回路１１１が接続されている。電流電圧変換回路１１２は、インバータ回路１０５内に流れる母線電流Ｉｄｃを電圧レベル信号に変換して電圧レベル信号出力部１１２ａから出力する。
【００１８】
過電流比較回路１１１は、比較回路１１１ａ及び電圧安定化回路１１１ｂを備え、電流電圧変換回路１１２から出力される母線電流Ｉｄｃの電圧レベル信号は、電圧レベル信号出力部１１２ａから比較回路１１１ａに入力される。一方、電圧安定化回路１１１ｂには、インバータ回路駆動用マイコン１１０のアナログ出力端子１１０ａから出力される安定化された基準電圧が印加されている。比較回路１１１ａは、電流電圧変換回路１１２から出力される、母線電流Ｉｄｃの電圧レベル信号の電圧値と、インバータ回路駆動用マイコン１１０のアナログ出力端子１１０ａから出力されて電圧安定化回路１１１ｂで安定化された基準電圧値とを比較する。比較の結果、母線電流Ｉｄｃの電圧レベル信号の電圧値がアナログ出力端子１１０ａから出力されて安定化された基準電圧値よりも高い場合には、過電流判定信号を過電流出力部１１１ｃから出力する。過電流判定信号は、インバータ回路駆動用マイコン１１０及びインバータ回路１０５の停止回路１０５ｍに入力される。過電流判定信号が入力された停止回路１０５ｍは、インバータ回路１０５を停止させる。インバータ回路１０５が停止すると、圧縮機１１の動作も停止する。
【００１９】
また、過電流判定信号は、インバータ回路駆動用マイコン１１０にも入力されており、インバータ回路駆動用マイコン１１０は、過電流の状態を把握することができる。このようにして、過電流が生じるとインバータ回路１０５を停止させて圧縮機１１の動作を停止させるため、圧縮機１１の故障を防止しつつ、インバータ回路１０５を過電流から保護し、異常加熱による部品の劣化又は故障を防止することができる。
【００２０】
なお、インバータ回路駆動用マイコン１１０は、アナログ入力端子１１０ｂを備え、アナログ入力端子１１０ｂには電圧安定化回路１１１ｂが出力する安定化された基準電圧が入力される。
【００２１】
突入電流抑制用リレーの駆動回路１２３は、突入電流抑制用リレー１０４ａの駆動回路であり、制御メインマイコン１２０によって突入電流抑制用リレー１０４ａのオンオフを制御する。
【００２２】
変換回路１１３は、平滑コンデンサ１０２によって平滑された母線電圧の値が入力されてインバータ回路駆動用マイコン１１０における読み込みが可能となるように変換してインバータ回路駆動用マイコン１１０に出力する電圧変換回路である。
【００２３】
また、制御メインマイコン１２０は、ファンモータの駆動回路１２４を制御し、駆動回路１２４は、ＭＦと表記された室外ファンモータ１５の回転数を制御する。また、制御メインマイコン１２０は、電子膨張弁の駆動回路１２５を制御し、駆動回路１２５は、電子膨張弁１３の開度を制御する。
【００２４】
高圧圧力スイッチ１６は、冷媒回路内の冷媒の圧力がしきい値を超えると動作し、高圧圧力スイッチ１６の作動状態は、変換回路１３０を介して制御メインマイコン１２０に入力される。低圧圧力スイッチ１７は、冷媒回路内の冷媒の圧力がしきい値未満になると動作し、低圧圧力スイッチ１７の作動状態は、変換回路１３１を介して制御メインマイコン１２０に入力される。圧縮機シェル温度サーミスタ１８は、圧縮機１１の外郭温度、すなわちシェル温度を検出して検出値を出力する。その検出値は、変換回路１３２を介して制御メインマイコン１２０に入力される。冷媒温度サーミスタ１９は、冷媒回路内の冷媒の温度を検出して検出値を出力する。その検出値は、変換回路１３３を介して制御メインマイコン１２０に入力される。
【００２５】
また、不揮発性メモリ１２１は、制御メインマイコン１２０が記録すべき情報を記録するメモリである。
【００２６】
機種切替部１２２は、室外ユニット１の馬力をはじめとする運転能力及び商用電源７の電源仕様に応じて設定を切り替える。なお、電源仕様には、三相又は単相が挙げられる。
【００２７】
表示部１２６は、室外ユニット１の運転状況及び室外ユニット１内で生じている異常を表示してユーザに報知する。
【００２８】
マイコン誤動作監視回路１２７は、制御メインマイコン１２０のリセット（ＲＥＳＥＴ）端子に接続されている。マイコン誤動作監視回路１２７は、制御メインマイコン１２０の誤動作を検出すると、制御メインマイコン１２０のリセット端子に信号を出力する。リセット端子にて信号を受信した制御メインマイコン１２０はリセットされ、更なる暴走が防止される。
【００２９】
室内通信回路１２８は、制御メインマイコン１２０が室内ユニット２と通信するための通信回路である。
【００３０】
図３は、室内ユニット２及び室内ユニット制御部２０の構成を示す図である。室外通信回路２０３は、室内制御マイコン２０１が室外ユニット１との通信を行うための通信回路である。すなわち、室外ユニット１の制御メインマイコン１２０と室内ユニット２の室内制御マイコン２０１は、室内通信回路１２８及び室外通信回路２０３を介して情報の送受信を行う。
【００３１】
室内制御マイコン２０１は、ファン駆動回路２０８を制御し、ファン駆動回路２０８は、室内ファンモータ２３の回転数を制御する。
【００３２】
また、室内温度サーミスタ２４は、室内温度を検出して検出値を出力し、その検出値は変換回路２０６を介して室内制御マイコン２０１に入力される。また、冷室内配管温度サーミスタ２５は、室内ユニット２の配管の温度を検出して検出値を出力し、その検出値は変換回路２０７を介して室内制御マイコン２０１に入力される。
【００３３】
また、不揮発性メモリ２０２は、室内制御マイコン２０１が記録すべき情報を記録するメモリである。
【００３４】
切替スイッチ２０４は、運転状況に応じて室内ユニット２の設定を切り替える。リモコン通信回路２０５は、室内制御マイコン２０１がリモコン５と通信するための通信回路である。
【００３５】
以上説明した室外ユニット１及び室内ユニット２を用いた空気調和機の動作について説明する。
【００３６】
図４は、制御メインマイコン１２０に格納されているテーブルデータの一例を示す図である。図４に示すテーブルデータでは、構成例ごとに室外ユニット制御部の種類１０ａから１０ｈ、圧縮機の種類１１ａから１１ｇ、基準電圧値の種類１１０ａａから１１２ａｇ及び過電流保護レベルの種類１１２ａａから１１２ａｇが示されている。図４に示すテーブルデータにおいて、単相の機種ａとして、馬力１．５、室外ユニット制御部の種類１０ａ、圧縮機１１ａ、過電流保護レベル１１２ａａ、基準電圧値１１０ａａ、許容基準電圧範囲±０．１％の構成が示されており、三相の機種ｇとして、馬力１．５、室外ユニット制御部の種類１０ｄ、圧縮機１１ａ、過電流保護レベル１１２ａａ、基準電圧値１１０ａａ、許容基準電圧範囲±０．１％の構成が示されている。単相の機種ａと三相の機種ｇとは、室外ユニット制御部１０の種類が異なる。これら構成例のように、単相の機種ａと三相の機種ｇとでは、基準電圧値をこれらの構成例ごとに切り替えることを要し、従来の技術ではユニット制御部１０の共通化が困難であった。
【００３７】
図５は、本実施の形態に係る空気調和機の動作を示すフローチャートである。まず、電源が投入されると処理を開始し、機種切替部１２２は、制御メインマイコン１２０に機種の設定情報を入力する（Ｓ１）。制御メインマイコン１２０は、入力された設定情報から商用電源７の仕様を判定し（Ｓ２）、入力された設定情報から機種の仕様を判定し（Ｓ３）、入力された設定情報から室外ユニット制御部１０の仕様を判定し（Ｓ４）、入力された設定情報から圧縮機１１の仕様を判定する（Ｓ５）。ここで、ステップＳ２からＳ５の順序は特に限定されない。
【００３８】
そして、制御メインマイコン１２０は、ステップＳ２からＳ５における判定結果に従って圧縮機過電流保護レベルを決定し（Ｓ６）、この圧縮機過電流保護レベルから電圧安定化回路１１１ｂに出力する基準電圧の電圧値を決定し（Ｓ７）、ステップＳ７で決定した基準電圧値及び許容電圧範囲値をインバータ回路駆動用マイコン１１０に送信する（Ｓ８）。インバータ回路駆動用マイコン１１０は、受信した基準電圧の電圧値をアナログ出力端子１１０ａから出力し（Ｓ９）、その後処理を終了する。
【００３９】
以上、本実施の形態にて説明した空気調和機は、交流電源からの交流電圧を直流電圧に変換して出力する整流回路と、前記整流回路から出力された直流電圧を力率改善回路を介して平滑する平滑回路と、前記平滑回路にて平滑された直流電圧を交流電圧に変換して圧縮機に出力するインバータ回路と、前記インバータ回路を駆動するインバータ駆動回路と、前記インバータ駆動回路を制御するインバータ回路駆動用マイコンと、前記圧縮機によって圧縮される冷媒の冷媒回路を制御する制御メインマイコンと、前記インバータ回路の母線電流の検出値を電圧レベルに変換して出力する電流電圧変換回路と、前記電流電圧変換回路から出力された電圧レベルと基準電圧値とを比較する電圧比較回路と、機種の設定情報を前記制御メインマイコンに出力する機種切替部とを備え、前記制御メインマイコンは、前記機種切替部から得た機種の設定情報により前記電圧比較回路への前記基準電圧値を算出して前記インバータ回路駆動用マイコンに通信し、前記インバータ回路駆動用マイコンは、前記制御メインマイコンから得た前記基準電圧値によって前記基準電圧値の電圧を生成する。
【００４０】
以上、本実施の形態にて説明したように、モータ、室外ユニット、室外ユニット制御部及び商用電源の仕様に応じて過電流の比較回路における基準電圧値を制御することができるので、モータ、室外ユニット、室外ユニット制御部及び接続されている商用電源の仕様が異なっていても、制御回路部を共通化することができる。
【００４１】
実施の形態２．
本実施の形態では、基準電圧値の精度を実施の形態１よりもさらに向上させることが可能な形態について説明する。
【００４２】
図６は、本発明の実施の形態２に係る空気調和機の動作を示すフローチャートである。図６においても、ステップＳ１からＳ９については実施の形態１の図５と同様の動作である。
【００４３】
本実施の形態においては、ステップＳ９において基準電圧値をアナログ出力端子１１０ａから出力後、電圧安定化回路１１１ｂの出力電圧であるこの基準電圧値をアナログ入力端子１１０ｂに入力する（Ｓ１０）。そして、インバータ回路駆動用マイコン１１０は、アナログ入力端子１１０ｂから入力された電圧値が許容電圧範囲内であるか否かを判定する（Ｓ１１）。Ｓ１１においてＮｏに分岐する場合、すなわち許容電圧範囲内でない場合には、許容電圧範囲内となるようにアナログ出力端子１１０ａの出力電圧値を調整してアナログ出力端子１１０ａに指令電圧を出力し（Ｓ１２）、ステップＳ１０に戻って電圧安定化回路１１１ｂの出力電圧であるこの基準電圧値をアナログ入力端子１１０ｂに入力し（Ｓ１０）、ステップＳ１１の判定を再度行う。Ｓ１１においてＹｅｓに分岐する場合、すなわち許容電圧範囲内である場合には、処理を終了する。
【００４４】
以上説明したように、過電流保護回路における比較回路の基準電圧値をフィードバックすることで、比較回路の基準電圧値を補正することができ、基準電圧値の精度を向上させることができる。
【００４５】
また、従来の過電流保護回路を備えない構成においては構成回路部品のばらつきによっては、比較回路の基準電圧値に誤差が生じうる、という問題があったが、本実施の形態の構成によれば、過電流保護回路における比較回路の基準電圧値をフィードバックし、比較基準回路の基準電圧値を補正すること、すなわち、比較回路の基準電圧値が許容電圧範囲内でない場合には電圧を調整して指令電圧を出力することができるため、過電流保護の信頼性及び精度を高くすることができる。
【００４６】
実施の形態３．
本実施の形態では、過電流比較回路の異常又は故障により、一定期間、基準電圧値が正しく設定できない場合であっても、室外ユニットを問題なく停止させることが可能な形態について説明する。
【００４７】
図７は、本発明の実施の形態３に係る空気調和機の動作を示すフローチャートである。図７において、ステップＳ１からＳ９については実施の形態１，２と同様である。また、ステップＳ１０については実施の形態２と同様である。
【００４８】
本実施の形態においては、ステップＳ１０においてアナログ入力端子１１０ｂに基準電圧値が入力された後に、インバータ回路駆動用マイコン１１０は、アナログ入力端子１１０ｂから入力された電圧値が許容電圧範囲内であるか否かを判定する（Ｓ２１）。
【００４９】
ステップＳ２１においてＹｅｓに分岐する場合、すなわち、ステップＳ１０にて入力した電圧安定化回路１１１ｂの出力電圧がステップＳ８において制御メインマイコン２１から受信した許容電圧範囲内である場合には、処理を終了する。
【００５０】
ステップＳ２１においてＮｏに分岐する場合、すなわち、ステップＳ１０にて入力した電圧安定化回路１１１ｂの出力電圧がステップＳ８において制御メインマイコン１２０から受信した許容電圧範囲内でない場合には、インバータ回路駆動用マイコン１１０はタイマーをスタートさせる（Ｓ２２）。
【００５１】
次に、ステップＳ１０にて入力した電圧安定化回路１１１ｂの出力電圧と、制御メインマイコン１２０から受信した基準電圧値が一致するように、インバータ回路駆動用マイコン１１０は、アナログ出力端子１１０ａから出力する基準電圧値を調整して出力する（Ｓ２３）。
【００５２】
次に、インバータ回路駆動用マイコン１１０には、電圧安定化回路１１１ｂの出力電圧がアナログ入力端子１１０ｂから入力され（Ｓ２４）、電圧安定化回路１１１ｂの出力電圧が、ステップＳ８において制御メインマイコン１２０から受信した許容電圧範囲内であるか否かを判定する（Ｓ２５）。
【００５３】
ステップＳ２５においてＹｅｓに分岐する場合、すなわち、ステップＳ２４にて入力した電圧安定化回路１１１ｂの出力電圧がステップＳ８において制御メインマイコン１２０から受信した許容電圧範囲内である場合には、処理を終了する。
【００５４】
ステップＳ２５においてＮｏに分岐する場合、すなわち、ステップＳ２４にて入力した電圧安定化回路１１１ｂの出力電圧がステップＳ８において制御メインマイコン１２０から受信した許容電圧範囲内でない場合には、インバータ回路駆動用マイコン１１０はステップＳ２２においてスタートさせたタイマーが完了したか否かを判定する（Ｓ２６）。
【００５５】
ステップＳ２６においてＮｏに分岐する場合、すなわち、タイマーが完了していない場合には、ステップＳ２３に戻る。ステップＳ２６においてＹｅｓに分岐する場合、すなわち、タイマーが完了している場合には、ステップＳ２７に移行し、インバータ回路駆動用マイコン１１０は制御メインマイコン１２０に異常情報を送信する。制御メインマイコン１２０はステップＳ２８にて異常処理を行い（Ｓ２８）、運転スタンバイとする（Ｓ２９）。ここで、異常処理には、圧縮機を停止させる動作を例示することができる。
【００５６】
なお、本実施の形態において、タイマーの設定時間の一例は３分間である。このようにタイマーの設定時間を３分とする場合には、３分間連続して基準電圧値を設定することができなかった場合に異常であると判定することになる。なお、タイマーの設定時間はこれに限定されるものではなく、１０秒であってもよく、１０分であってもよい。ただし、極端に短い時間とすると、正常であるにも関わらず異常であると誤って判定してしまうおそれがあるため、極端に短い時間は除外する。
【００５７】
以上説明したように本実施の形態の構成によれば、異常発生時にユーザに報知することが可能であるため、従来よりも保守性を向上させることができる。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  室外ユニット、２  室内ユニット、３  冷媒用配管、４  室内室外接続用配線、５  リモコン、５ａ  リモコン表示部、６  リモコン用配線、７  商用電源、１０  室外ユニット制御部、１０ａから１０ｈ  室外ユニット制御部の種類、１１  圧縮機、１１ａから１１ｇ  圧縮機の種類、１２  室外熱交換器、１３  電子膨張弁、１４  室外ファン、１５  室外ファンモータ、１６  高圧圧力スイッチ、１７  低圧圧力スイッチ、１８  圧縮機シェル温度サーミスタ、１９  冷媒温度サーミスタ、２０  室内ユニット制御部、２１  室内熱交換器、２２  室内ファン、２３  室内ファンモータ、２４  室内温度サーミスタ、２５  冷室内配管温度サーミスタ、１０１  整流回路、１０２  平滑コンデンサ、１０３  力率改善用リアクタ、１０４  突入電流抑制回路、１０４ａ  突入電流抑制用リレー、１０４ｂ  突入電流防止素子、１０５  インバータ回路、１０５ａ，１０５ｂ，１０５ｃ，１０５ｄ，１０５ｅ，１０５ｆ  トランジスタ、１０５ｇ，１０５ｈ，１０５ｉ，１０５ｊ，１０５ｋ，１０５ｌ  トランジスタ駆動回路、１０５ｍ  停止回路、１１０  インバータ回路駆動用マイコン、１１０ａ  アナログ出力端子、１１０ａａから１１２ａｇ  基準電圧値の種類、１１０ｂ  アナログ入力端子、１１１  過電流比較回路、１１１ａ  比較回路、１１１ｂ  電圧安定化回路、１１１ｃ  過電流出力部、１１２  電流電圧変換回路、１１２ａａから１１２ａｇ  過電流保護レベルの種類、１１３  変換回路、１２０  制御メインマイコン、１２１  不揮発性メモリ、１２２  機種切替部、１２３  リレー駆動回路、１２４  駆動回路、１２５  電子膨張弁駆動回路、１２６  表示部、１２７  マイコン誤動作監視回路、１２８  室内通信回路、１３０  高圧圧力スイッチ変換回路、１３１  低圧圧力スイッチ変換回路、１３２  圧縮機シェル温度サーミスタ変換回路、１３３  冷媒温度サーミスタ変換回路、１４０  通信回路、２０１  室内制御マイコン、２０２  不揮発性メモリ、２０３  室外通信回路、２０４  切替スイッチ、２０５  リモコン通信回路、２０６  室内温度サーミスタ変換回路、２０７  冷室内配管温度サーミスタ変換回路、２０８  ファン駆動回路。
【図１】
2016170633.tif 000003
【図２】
2016170633.tif 000004
【図３】
2016170633.tif 000005
【図４】
2016170633.tif 000006
【図５】
2016170633.tif 000007
【図６】
2016170633.tif 000008
【図７】
2016170633.tif 000009
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
交流電源からの交流電圧を直流電圧に変換して出力する整流回路と、
前記整流回路から出力された直流電圧を、力率改善回路を介して平滑する平滑回路と、
前記平滑回路にて平滑された直流電圧を交流電圧に変換して圧縮機に出力するインバータ回路と、
前記インバータ回路を駆動するインバータ駆動回路と、
前記インバータ駆動回路を制御するインバータ回路駆動用マイコンと、
前記圧縮機によって圧縮される冷媒の冷媒回路を制御する制御メインマイコンと、
前記インバータ回路の母線電流の検出値を電圧レベルに変換して出力する電流電圧変換回路と、
前記電流電圧変換回路から出力された電圧レベルと基準電圧値とを比較する電圧比較回路と、
機種の設定情報を前記制御メインマイコンに出力する機種切替部とを備え、
前記制御メインマイコンは、前記機種切替部から得た機種の設定情報により前記電圧比較回路への前記基準電圧値を算出して前記インバータ回路駆動用マイコンに通信し、
前記インバータ回路駆動用マイコンは、前記制御メインマイコンから得た前記基準電圧値によって前記基準電圧値の電圧を生成し、
前記電圧比較回路の前記基準電圧値が許容電圧範囲内でない場合には電圧を調整して指令電圧を出力することを特徴とする空気調和機。
【請求項２】
前記基準電圧値が前記制御メインマイコンから得られた基準電圧値と一致しない場合には異常と判断されて、前記圧縮機が停止することを特徴とする請求項１に記載の空気調和機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、交流電源からの交流電圧を直流電圧に変換して出力する整流回路と、前記整流回路から出力された直流電圧を力率改善回路を介して平滑する平滑回路と、前記平滑回路にて平滑された直流電圧を交流電圧に変換して圧縮機に出力するインバータ回路と、前記インバータ回路を駆動するインバータ駆動回路と、前記インバータ駆動回路を制御するインバータ回路駆動用マイコンと、前記圧縮機によって圧縮される冷媒の冷媒回路を制御する制御メインマイコンと、前記インバータ回路の母線電流の検出値を電圧レベルに変換して出力する電流電圧変換回路と、前記電流電圧変換回路から出力された電圧レベルと基準電圧値とを比較する電圧比較回路と、機種の設定情報を前記制御メインマイコンに出力する機種切替部とを備え、前記制御メインマイコンは、前記機種切替部から得た機種の設定情報により前記電圧比較回路への前記基準電圧値を算出して前記インバータ回路駆動用マイコンに通信し、前記インバータ回路駆動用マイコンは、前記制御メインマイコンから得た前記基準電圧値によって前記基準電圧値の電圧を生成し、前記電圧比較回路の前記基準電圧値が許容電圧範囲内でない場合には電圧を調整して指令電圧を出力することを特徴とする。
【国際調査報告】
2016170633.tif 000010
2016170633.tif 000011
2016170633.tif 000012
2016170633.tif 000013